(57)【要約】【課題】ステップが跳ねて外れることを防止できる構造を備えた建設機械の取り外し式の昇降用ステップを提供すること。【解決手段】昇降用ステップ１は、ステップ本体６と、クローラフレーム３の側面に固定され、ステップ本体６が掛止されるブラケット７とを備える。ステップ本体は６、ブラケット７の天板９とブラケット７に設けられたピン１０との間に差し込まれる差込部１４と、差込部１４から延在され、ピン１０に対して上方から掛合する凹形状の掛合部１５とを有する。天板９とピン１０との間に差込部を１４差し込んで掛合部１５をピン１０に当て、その後、ステップ本体６の先端側をピン１０まわりに下方へ回動させることで、差込部１４の上面が天板９の裏面９ａに当接してステップ本体６がブラケット７に掛止される。【選択図】図３
2016137860.tif 000002
【特許請求の範囲】
【請求項１】
建設機械の昇降用ステップであって、
ステップ本体と、
前記建設機械に固定され、前記ステップ本体が掛止されるブラケットと、
を備え、
前記ステップ本体は、
前記ブラケットの天板と前記ブラケットに設けられたピンとの間に差し込まれる差込部と、
前記差込部から延在され、前記ピンに対して上方から掛合する凹形状の掛合部と、
を有し、
前記天板と前記ピンとの間に前記差込部を差し込んで前記掛合部を前記ピンに当て、その後、前記ステップ本体の先端側を前記ピンまわりに下方へ回動させることで、前記差込部の上面が前記天板の裏面に当接して前記ステップ本体が前記ブラケットに掛止されることを特徴とする、建設機械の昇降用ステップ。
【請求項２】
請求項１に記載の建設機械の昇降用ステップにおいて、
前記ステップ本体のステップ面と前記ブラケットの前記天板の上面とが略同じ高さとされていることを特徴とする、建設機械の昇降用ステップ。
【請求項３】
請求項１または２に記載の建設機械の昇降用ステップにおいて、
前記ピンが、前記天板の斜め下方に設けられていることを特徴とする、建設機械の昇降用ステップ。
【請求項４】
請求項１〜３のいずれかに記載の建設機械の昇降用ステップにおいて、
前記差込部の少なくとも一部の幅が、前記ブラケットの斜め上方からのみ前記天板の先端と前記ピンとの間に前記差込部を差し込み可能となる寸法とされていることを特徴とする、建設機械の昇降用ステップ。
【請求項５】
請求項１〜４のいずれかに記載の建設機械の昇降用ステップにおいて、
前記ブラケットに対して前記ステップ本体が立設された状態を維持する転倒防止ピンをさらに備えることを特徴とする、建設機械の昇降用ステップ。
【発明の詳細な説明】
【技術分野】
【０００１】
本発明は、クローラクレーンなどの建設機械の昇降用ステップに関する。
【背景技術】
【０００２】
この種のステップには、下記の特許文献１に記載されたものがある。その従来技術は、次のように構成されている。クローラ式走行体の乗降用ステップは、クローラの外端より突出可能で、未使用時は、水平方向に回動させられてクローラの外端よりも内側に格納される。
【先行技術文献】
【特許文献】
【０００３】
【特許文献１】実開平４−１４５４４号公報
【発明の概要】
【発明が解決しようとする課題】
【０００４】
上記の従来技術には次の問題がある。クローラの外端よりも内側に完全に格納したい場合にはステップの幅が限定されてしまう。ここで、ステップの幅が限定されないようにするためには、取り外し式のステップにすればよい。
【０００５】
しかしながら、クローラクレーンなどの建設機械は、凸凹の悪路を走行することがあるため、ステップを単に取り外し可能なものとすると、悪路走行時にステップが跳ねて外れてしまうことが懸念される。
【０００６】
本発明は、上記実情に鑑みてなされたものであり、その目的は、ステップが跳ねて外れることを防止できる構造を備えた建設機械の取り外し式の昇降用ステップを提供することである。
【課題を解決するための手段】
【０００７】
本発明に係る建設機械の昇降用ステップは、ステップ本体と、建設機械に固定され、前記ステップ本体が掛止されるブラケットとを備える。前記ステップ本体は、前記ブラケットの天板と前記ブラケットに設けられたピンとの間に差し込まれる差込部と、前記差込部から延在され、前記ピンに対して上方から掛合する凹形状の掛合部とを有する。前記天板と前記ピンとの間に前記差込部を差し込んで前記掛合部を前記ピンに当て、その後、前記ステップ本体の先端側を前記ピンまわりに下方へ回動させることで、前記差込部の上面が前記天板の裏面に当接して前記ステップ本体が前記ブラケットに掛止される。
【発明の効果】
【０００８】
本発明の昇降用ステップによれば、ステップ本体に対して引き抜き方向の外力が作用しただけではステップ本体は外れず、ステップ本体をピンまわりに回動させる外力と、ステップ本体の引き抜き方向に作用する外力とが相互に連携するようにタイミングよく作用しない限りステップ本体が外れることはない。
すなわち、ステップが跳ねて外れることを防止できる構造を備えた建設機械の取り外し式の昇降用ステップを提供することができる。
【図面の簡単な説明】
【０００９】
【図１】本発明の一実施形態に係る昇降用ステップのステップ本体がクローラフレームの側面に取り付けられた状態の下部走行体を示す平面図である。
【図２】図１のＡ−Ａ矢視図である。
【図３】図１に示す昇降用ステップの側面図である。
【図４】ステップ本体の側面図である。
【図５】ステップ本体をブラケットに取り付けるときの途中状態を示す側面図である。
【図６】ブラケットに対してステップ本体を立設させて回動不能に固定した状態を示す側面図である。
【発明を実施するための形態】
【００１０】
以下、本発明を実施するための形態について図面を参照しつつ説明する。
【００１１】
（昇降用ステップの取付位置の例）
まず、図１、２を参照しつつ、本発明の一実施形態に係る昇降用ステップ１の建設機械への取付位置の例について説明する。
【００１２】
図１に示す下部走行体２は、クローラクレーンの下部走行体であり、上部旋回体（不図示）が搭載されるカーボディ４と、カーボディ４の両側に組み付けられたクローラフレーム３と、クローラフレーム３に組み付けられたクローラ５とを備えている。図１、２に示すように、昇降用ステップ１は、例えば、クローラフレーム３の外側面に取り付けられる。また、図１、２に示す一実施形態では、クローラフレーム３の外側面にその上下方向に所定の間隔をあけて、且つクローラフレーム３の前後方向には少しずつずらして、計３個の昇降用ステップ１がクローラフレーム３の外側面に取り付けられている。クローラフレーム３の内側面に昇降用ステップ１が取り付けられることもある。
【００１３】
なお、本発明の昇降用ステップの取付対象は、クローラクレーンに限られるものではなく、様々な種類の建設機械が本発明の昇降用ステップの取付対象である。また、昇降用ステップの取付位置も、クローラフレームの側面に限られるものではない。
【００１４】
（昇降用ステップの構成）
次に、昇降用ステップ１について説明する。図３等に示したように、昇降用ステップ１は、クローラフレーム３などの建設機械のいずれかの部位の側面に固定されるブラケット７と、ブラケット７に掛止されるステップ本体６とを具備している。
【００１５】
＜ブラケット＞
ブラケット７は、所定の間隔をあけて配置される一対の側面板８と、一対の側面板８の上面に固定される天板９とを有する。図３に示すように、天板９の長さ（クローラフレーム３から外方へ向かう方向の寸法）は、側面板８の長さよりも短くされ、側面板８の上面に天板９を固定した状態においてブラケット７の上面が面一となるように、側面板８の上面のうちの天板９が載せられる部分は、一段下げられた形状とされている。
【００１６】
側面板８の先端側の下部には、ピン１０が挿入される孔８ａが設けられており、この孔８ａにピン１０が挿入されて左右一対の側面板８に回転不能に固定される。なお、ピン１０は回転するようにされていてもよいが、ピン１０に掛止されるステップ本体６のガタツキを少しでも抑えるためには、側面板８にピン１０を回転不能に固定したほうが好ましい。
【００１７】
また、本実施形態の側面板８には、ブラケット７に対してステップ本体６が立設された状態を維持する転倒防止ピン１６（図６参照）を挿入するための孔８ｂが設けられている。
【００１８】
＜ステップ本体＞
ステップ本体６は、所定の間隔をあけて配置される一対の側面板１１と、一対の側面板１１の上面に固定されるステップ板１３とを有する。側面板１１同士は２本のリブ１２で固定されている。ステップ板１３は、孔１３ａ（図１参照）の周縁が凸とされたパンチングメタルの板材からなり、これにより、人が足を載せるステップ面は滑り止めのための凹凸が設けられた形態となっている。なお、ステップ本体６（ステップ板１３）の上面（ステップ面）は、ブラケット７（天板９）の上面と略同じ高さとされている。
【００１９】
ここで、符号を付して図４、５に示すように、ステップ本体６（側面板１１）は、ブラケット７の天板９の先端部とブラケット７に挿入固定されたピン１０との間に差し込まれる差込部１４を端部に有し、この差込部１４と連続する部分はピン１０に対して上方から掛合する凹形状の掛合部１５とされている。
【００２０】
差込部１４は、末端側のテーパ部１４ａと、このテーパ部１４ａと上記掛合部１５との間に設けられる幅広の差込規制部１４ｂとを有する。差込規制部１４ｂの幅Ｂ１は、ブラケット７の天板９の先端とブラケット７に挿入固定されたピン１０との間の間隔Ｂ２よりもほんの少しだけ小さい寸法とされる。すなわち、差込規制部１４ｂの幅Ｂ１は、ブラケット７の斜め上方からのみ天板９とピン１０との間に差込部１４が差し込み可能となる寸法とされている。本実施形態では、差込規制部１４ｂの幅Ｂ１は、天板９の先端とピン１０との間にブラケット７に対して４５°の角度で差込部１４を差し込み可能となる寸法とされている。一方、ブラケット７に対する直交方向や、平行な方向からは、天板９とピン１０との間に差込部１４を差し込みことはできない。なお、天板９とピン１０との間から差込部１４を抜く場合も同様であり、ブラケット７に対して４５°の角度で天板９とピン１０との間から差込部１４を抜くことはできるが、ラケット７に対する直交方向や、平行な方向からは、差込部１４を抜くことはできない。
【００２１】
（ステップの取り付け方法）
クローラフレーム３の側面に固定されたブラケット７にステップ本体６を取り付ける方法について図５を参照しつつ説明する。
【００２２】
まず、ブラケット７の天板９とピン１０との間に、ブラケット７に対して斜め４５°の上方からステップ本体６の差込部１４をすべり込ませる（差し込む）。差込部１４の末端部は先細りのテーパ部１４ａ（図４参照）となっているので、天板９とピン１０との間に差込部１４をすべり込ませやすい。ステップ本体６を差し込んでいくと、差込部１４に続く部位である掛合部１５がピン１０に到達してピン１０に当たる。その後、ステップ本体６の先端側をピン１０まわりに下方へ回動させることで、差込部１４の上面が天板９の裏面９ａに当接してステップ本体６はブラケット７に掛止される（図３参照）。なお、掛合部１５のうちのステップ本体６の先端側は、天板９の先端とピン１０との間の間隔Ｂ２よりも幅広とされているので、この部分が規制部となり、ステップ本体６を天板９とピン１０との間に差し込みすぎることはない。
【００２３】
（ステップの取り外し方法）
ブラケット７からステップ本体６を取り外す場合、まず、ステップ本体６の先端側をピン１０まわりに上方へ回動させて、ブラケット７に対するステップ本体６の角度が４５°となるようにする。その後、ブラケット７に対して斜め４５°上方へステップ本体６を引き抜く。
【００２４】
（クローラのそばを人が通るとき）
クローラ５のそばを人が通るときは、ピン１０まわりに上方へステップ本体６を回動させてブラケット７に対してステップ本体６が立設させた状態とする。これにより、クローラ５のそばに通路を確保することができる。
【００２５】
（クローラフレームを輸送・移動させるとき）
クローラフレーム３を輸送・移動させるときは、図６に示したように、ブラケット７に対してステップ本体６を立設させた状態で、ブラケット７の側面板８に設けられた孔８ｂに転倒防止ピン１６を差し込んでステップ本体６を回動不能に固定する。なお、ブラケット７からステップ本体６を取り外して、クローラクレーンを構成するいずれかの機器にステップ本体６を取り付けることで当該ステップ本体６を格納してもよいし、取り外したステップ本体６を別途まとめてしまっておいてもよい。
【００２６】
（作用・効果）
本発明に係る昇降用ステップ１によれば、ステップ本体６に対して引き抜き方向の外力が作用しただけではブラケット７からステップ本体６は外れず、ステップ本体６をピン１０まわりに回動させる外力と、ステップ本体６の引き抜き方向に作用する外力とが相互に連携するようにタイミングよく作用しない限りステップ本体６がブラケット７から外れることはない。すなわち、本発明に係る昇降用ステップ１によると、ステップ本体６が跳ねて外れることを防止することができる。
【００２７】
また、昇降用ステップ１は、その使用時、ステップ本体６のステップ面とブラケット７の天板９の上面とが略同じ高さとなる。この構造によると、段差がなくなり昇降用ステップ１に載った人が足を引っ掛けることを防止することができる。すなわち、安定した足場を確保することができる。また、ステップ本体６だけでなくブラケット７もステップとして用いることができるので、クローラ５の上に登る際にクローラフレーム３の側面近くまで足をもっていくことができる。
【００２８】
さらに、ブラケット７の側面板８に固定されたピン１０は、ブラケット７の天板９の斜め下方に設けられている。この構造によると、ステップ本体６をブラケット７に対して斜め上方から差し込むようになり、ブラケット７の真横や鉛直上方からステップ本体６を差し込む場合に比べて作業が行い易い。
【００２９】
さらに、昇降用ステップ１では、ステップ本体６の差込部１４の少なくとも一部（差込規制部１４ｂ、図４参照）の幅が、ブラケット７の斜め上方からのみ天板９の先端とピン１０との間に差込部１４を差し込み可能となる寸法とされている。この構造によると、ステップ本体６をブラケット７から取り外す際のステップ本体６の引き抜き角度が限定されるので、ステップ本体６が跳ねて外れることをより防止することができる。
【００３０】
さらに、本実施形態の昇降用ステップ１は、ブラケット７に対してステップ本体６が立設された状態を維持する転倒防止ピン１６を備えている。この構成によると、例えばクローラフレーム３を輸送・移動させるときに、ステップ本体６が邪魔にならない態様でステップ本体６をクローラフレーム３に取り付けたままとすることができる。
【００３１】
以上、本発明の実施形態について説明したが、本発明は上述の実施の形態に限られるものではなく、特許請求の範囲に記載した限りにおいて様々に変更して実施することができるものである。
【符号の説明】
【００３２】
１：昇降用ステップ
２：下部走行体
３：クローラフレーム
４：カーボディ
５：クローラ
６：ステップ本体
７：ブラケット
９：天板
１０：ピン
１４：差込部
１５：掛合部
【図１】
2016137860.tif 000003
【図２】
2016137860.tif 000004
【図３】
2016137860.tif 000005
【図４】
2016137860.tif 000006
【図５】
2016137860.tif 000007
【図６】
2016137860.tif 000008